(57)【要約】【課題】ストラップが高速で巻き取られる場合は巻取りがロックされ、ゆっくり巻き取られるときはロックされないようにするとともに、任意の引き出し位置でロックすることのできるストラップ巻取り装置を提案する【解決手段】ストラップを収容するケース部材４３に回転自在に支持されストラップが巻き取られる方向にバネ付勢されたリール部材５０の、回転中心軸と直交する面５３に立設された軸５４に揺動自在に支持されたロック部材５５を備える。ロック部材５５は、ケース部材４３の内面に一体に形成されたストッパ４８と係合する係止爪５６が一端側に形成され、係止爪５６がストッパ４８と係合しない方向にバネ５８によって付勢されている。ストラップがリール部材５０に巻取られるときに、ロック部材５５が遠心力によって揺動し、係止爪５６がストッパ４８に係合してリール部材５０の回転が停止される。【選択図】図７
2010152038.tif 000002
【特許請求の範囲】
【請求項１】
吊り下げ用ストラップを収容するケース部材の内部に回転自在に支持されるとともに、前記ストラップが巻き取られる方向に巻取りバネによって付勢され、前記ストラップの一端が固定されて前記ストラップが巻き取られる巻取り部と、回転中心軸と直交する面に形成され回転方向に傾斜角を有する第１の係合面と、を備えたリール部材と、
前記ケース部材の内面に一体に形成されたストッパと、
前記ストッパと係合する係止爪が形成された第１の面と、前記第１の係合面と面接触するように前記第１の係合面と同じ傾斜角とされた第２の係合面が形成された第２の面が前記回転中心軸と直交するように前後に対向して配置されるとともに、前記回転中心軸と平行な方向に移動自在に前記リール部材に取り付けられ、前記第２の係合面が前記第１の係合面に圧接されるようにバネ付勢されたロック部材と、
を備え、
前記ロック部材は、
前記巻取りバネの付勢力に抗して前記ケース部材から引き出された前記ストラップが前記巻取りバネの付勢力によって前記リール部材に巻き取られる際の前記リール部材の回転加速度が所定値以下の場合は、前記第２の係合面が前記第１の係合面に圧接された状態で前記リール部材とともに回転し、
前記回転加速度が所定値を超える場合は、前記第１の係合面によって前記第２の係合面が押されて前記リール部材から離れる方向に移動し、前記係止爪が前記ストッパに当って回転が停止され、前記リール部材の回転を停止させることを特徴とするストラップ巻取り装置。
【請求項２】
吊り下げ用ストラップを収容するケース部材の内部に回転自在に支持されるとともに前記ストラップが巻き取られる方向に巻取りバネによって付勢され、前記ストラップの一端が固定されて前記ストラップが巻き取られるリール部材と、
前記ケース部材の内面に一体に形成されたストッパと、
前記ストッパと係合する係止爪が一端側に形成されるとともに他端側が前記リール部材に揺動自在に支持され、前記係止爪が前記ストッパと係合しない方向にバネ付勢されたロック部材と、
を備え、
前記ロック部材は、
前記巻取りバネの付勢力に抗して前記ケース部材から引き出された前記ストラップが前記巻取りバネの付勢力によって前記リール部材に巻き取られる際に、前記リール部材の回転速度が所定値以下の場合は、前記係止爪が前記ストッパと係合しない方向にバネ付勢された状態で前記リール部材とともに回転し、
前記回転速度が所定値を超える場合は、回転による遠心力によって揺動し、前記係止爪が前記ストッパに係合して前記リール部材の回転を停止させることを特徴とするストラップ巻取り装置。
【請求項３】
前記ロック部材は、前記他端側が前記リール部材の回転中心軸と直交する面に立設された軸に回転自在に支持されたことを特徴とする請求項２記載のストラップ巻取り装置。
【請求項４】
前記ロック部材は、前記ストラップが引き出されるときには、前記係止爪と前記ストッパの係合が解除されることを特徴とする請求項１乃至３いずれかに記載のストラップ巻取り装置。
【請求項５】
前記ストラップの巻取りにおいて、前記巻取りバネの付勢力にブレーキがかけられながら、ゆっくりと巻取られるときには、前記係止爪と前記ストッパとが係合しないことを特徴とする請求項４記載のストラップ巻取り装置。
【請求項６】
前記ストラップの他端がカメラ内部に固定されたことを特徴とする請求項１乃至５いずれかに記載のストラップ巻取り装置。
【請求項７】
請求項１乃至５いずれかに記載のストラップ巻取り装置を内蔵するとともに前記ケース部材が外装カバーと一体に形成され、前記ストラップの他端にストラップエンドストッパが設けられたことを特徴とするカメラ。
【発明の詳細な説明】
【技術分野】
【０００１】
本発明は、カメラの落下防止のためのストラップ巻取り装置及びそれを設けたカメラに関する。
【背景技術】
【０００２】
従来からカメラには落下防止や携帯性を良くためにハンドストラップ（ショートストラップとも言う。）又はネックストラップが用いられてきた。ハンドストラップ又はネックストラップは、それぞれに長所短所があるが、長さを調節可能とすることで更に使い易くすることができる。下記特許文献１には、ストラップの長さが調節自在なストラップ自動巻取り機構を備えたカメラが記載されている。また、前記ストラップのようなコード類を巻き取る装置を備えたものとしては、下記特許文献２に電気掃除機のコード巻取り装置が示され、下記特許文献３には、シートベルト用のリトラクターが記載されている。
【特許文献１】特開２００４−０１３００４号公報
【特許文献２】特開平０６−０３８９１１号公報
【特許文献３】特開２００３−２１２０８５号公報
【発明の開示】
【発明が解決しようとする課題】
【０００３】
前記特許文献１記載のように巻取り用バネの付勢力によってストラップを高速で巻き取る場合、ストラップエンドストッパがユーザーの手に当たってユーザーが怪我をすることがある。巻取り速度を減速させたり巻取りをロックする方法が前記特許文献２，３に記載されているが、ここに示された複雑なメカニズムを、カメラのような携帯機器のストラップ巻取り装置に採用することは、スペース、コストを考えると非常に困難である。
【０００４】
本発明は上記課題を解決するものであり、ストラップがバネの付勢力によって高速で巻き取られる場合は巻取りをロックし、ユーザーによって巻取り速度が制御されるときはロックされずに巻き取られるようにするとともに、任意の引き出し位置でロックすることのできるストラップ巻取り装置及びそれを備えたカメラを、簡単なメカニズムによって実現する方法を提案するものである。
【課題を解決するための手段】
【０００５】
本発明によるストラップ巻取り装置は、吊り下げ用ストラップを収容するケース部材の内部に回転自在に支持されるとともに、前記ストラップが巻き取られる方向に巻取りバネによって付勢され、前記ストラップの一端が固定されて前記ストラップが巻き取られる巻取り部と回転中心軸と直交する面に形成され回転方向に傾斜角を有する第１の係合面とを備えたリール部材と、前記ケース部材の内面に一体に形成されたストッパと、前記ストッパと係合する係止爪が形成された第１の面と前記第１の係合面と面接触するように前記第１の係合面と同じ傾斜角とされた第２の係合面が形成された第２の面が前記回転中心軸と直交するように前後に対向して配置されるとともに、前記回転中心軸と平行な方向に移動自在に前記リール部材に取り付けられ前記第２の係合面が前記第１の係合面に圧接されるようにバネ付勢されたロック部材と、を備え、前記ロック部材は、前記巻取りバネの付勢力に抗して前記ケース部材から引き出された前記ストラップが前記巻取りバネの付勢力によって前記リール部材に巻き取られる際の前記リール部材の回転加速度が所定値以下の場合は、前記第２の係合面が前記第１の係合面に圧接された状態で前記リール部材とともに回転し、前記回転加速度が所定値を超える場合は、前記第１の係合面によって前記第２の係合面が押されて前記リール部材から離れる方向に移動し、前記係止爪が前記ストッパに当って回転が停止され、前記リール部材の回転を停止させることを特徴とする。
【０００６】
あるいは、吊り下げ用ストラップを収容するケース部材の内部に回転自在に支持されるとともに前記ストラップが巻き取られる方向に巻取りバネによって付勢され、前記ストラップの一端が固定されて前記ストラップが巻き取られるリール部材と、前記ケース部材の内面に一体に形成されたストッパと、前記ストッパと係合する係止爪が一端側に形成されるとともに他端側が前記リール部材に揺動自在に支持され、前記係止爪が前記ストッパと係合しない方向にバネ付勢されたロック部材と、を備え、前記ロック部材は、前記巻取りバネの付勢力に抗して前記ケース部材から引き出された前記ストラップが前記巻取りバネの付勢力によって前記リール部材に巻き取られる際に、前記リール部材の回転速度が所定値以下の場合は、前記係止爪が前記ストッパと係合しない方向にバネ付勢された状態で前記リール部材とともに回転し、前記回転速度が所定値を超える場合は、回転による遠心力によって揺動し、前記係止爪が前記ストッパに係合して前記リール部材の回転を停止させることを特徴とする。前記ロック部材は、前記他端側が前記リール部材の回転中心軸と直交する面に立設された軸に回転自在に支持されるようにすると良い。
【０００７】
前記ロック部材は、前記ストラップが引き出されるときには、前記係止爪と前記ストッパの係合が解除される。前記ストラップの巻取りにおいて、前記巻取りバネの付勢力にブレーキがかけられながら、ゆっくりと巻取られるときには、前記係止爪と前記ストッパとが係合しない。前記ストラップの他端がカメラ内部に固定されるようにしても良い。あるいは、前記ストラップ巻取り装置をカメラに内蔵しても良い。この場合、前記ケース部材はカメラの外装カバーと一体に形成されるようにすることが好ましく、前記ストラップの他端にはストラップエンドストッパを設けると良い。
【発明の効果】
【０００８】
本発明によるストラップ巻取り装置は、非常に簡単な構造でありながら、ストラップが高速で巻き取られるときには巻取りがロックされ、ゆっくり巻き取られるときにはロックされないようになっており、また、任意の引き出し位置で意識的に高速巻取りを瞬時行うことでストラップをロックしてストラップの長さを適度に調節することができる。
【発明を実施するための最良の形態】
【０００９】
図１及び図２に示すように、本発明によるストラップ巻取り装置１０は、前ケース１１と後ケース１２からなるケース部材１３にカメラ吊り下げ用のストラップ１４を収容する。前記ストラップ１４はリール部材２０に形成された巻取り部２１に一端が固定され、リール部材２０が前記後ケース１２との間に設けられたゼンマイ（巻取りバネ）１５の付勢力によって回転したときに前記巻取り部２１に巻き取られる。前記リール部材２０は、中心部に軸部材２２が圧入され、軸部材２２の中心を回転中心軸１６として前記ケース部材１３に回転自在に支持される。前記リール部材２０は、回転中心軸１６と直交する面２３（図３参照）に形成され前記リール部材２０が回転する方向に所定の傾斜角を有する第１の係合面２４ａと回転する方向に垂直な第３の係合面２４ｂを有する凸部２４を備える（図４参照）。ここで、前記軸部材２２は前記リール部材２０と一体成型によって形成される構成であっても良い。
【００１０】
ロック部材３０は、前記リール部材２０の前記面２３側に配置され、中央に形成された中心孔３８（図５参照）に、前記リール部材２０に設けられたボス２５に圧入されたバネ押さえ２６の筒部２６ｂが挿通されて回転自在に支持されるとともに前記回転中心軸１６と平行な方向に移動自在に支持される。ロック部材３０は、前記回転中心軸１６と直交する第１，第２の面３１，３２を前後に対向して配置され、前記第１の面３１には前記前ケース１１の内面に一体に形成されたストッパ１８と係合する係止爪３３（図５参照）が形成され、前記第２の面３２には前記凸部２４と係合する凸部３４が形成される。凸部３４には前記第１の係合面２４ａと係合する第２の係合面３４ａと前記第３の係合面２４ｂと係合する第４の係合面３４ｂが形成され、前記第１の係合面２４ａと前記第２の係合面３４ａは互いに面接触するように同じ傾斜角になっている（図４参照）。前記第１の面３１にはリング状の溝３５（図５参照）が形成され、前記溝３５に一端側が挿入されたコイルバネ３６の他端側が前記バネ押さえ２６の鍔部２６ａによって押圧されて、前記第２の係合面３４ａが前記第１の係合面２４ａに圧接される。ロック部材３０には、長孔３７が１８０°回転対称位置の２ヶ所に形成され（図５参照）、前記リール部材２０に立設されたストップ軸２７が挿通される。
【００１１】
次に、上記実施形態における作用について説明する。図４に示すように、前記ストラップ１４が引き出されると、前記リール部材２０が矢印Ａの方向に回転する。前記リール部材２０が回転すると前記第３の係合面２４ｂが前記第４の係合面３４ｂに当接し、前記ロック部材３０は前記リール部材２０とともに回転するが、前記ロック部材３０はコイルバネ３６によって前記リール部材２０に押圧されているので、前記係止爪３３は前記ストッパ１８と係合することはない。前記ストラップ１４が引き出された分だけ前記ゼンマイ１５が巻き締まる。
【００１２】
引き出された前記ストラップ１４を所望の長さになるまで巻き込むときは、前記ストラップ１４にブレーキをかけながらゆっくりと巻き込ませる。前記リール部材２０が前記矢印Ｂの方向に回転し前記第１の係合面２４ａが前記第２の係合面３４ａに当接する。このときの前記リール部材２０の回転加速度は小さく所定値以下であるから前記第１の係合面２４ａと前記第２の係合面３４ａの間に作用する摩擦によって前記第２の係合面３４ａが前記第１の係合面２４ａに押されて、前記ロック部材３０が前記リール部材２０とともに矢印Ｂの方向に回転する。前記係止爪３３は前記コイルバネ３６によって前記リール部材２０側へ押圧されているため、前記係止爪３３が前記ストッパ１８に当接することはなく、前記リール部材２０は前記ストラップ１４を巻き取る方向に回転する。
【００１３】
前記ストラップ１４が前記所望の長さまで巻き込まれたときに前記ストラップ１４から手を離す、あるいは前記ブレーキを解除すると、前記リール部材２０は前記ゼンマイ１５の全付勢力が加わって前記ストラップ１４を巻き込む方向に急速回転する。前記リール部材２０が矢印Ｂの方向に急速回転して回転加速度が所定値を超える大きさとなると、前記ロック部材３０は前記リール部材２０と一緒に回転することができず、前記第２の係合面３４ａが前記第１の係合面２４ａの上に乗りあがって、前記ロック部材３０が矢印Ｃの方向に押される。これによって前記係止爪３３は前記ストッパ１８と当接し、前記ロック部材３０の回転がロックされる。前記リール部材２０に立設された前記ストップ軸２７は、前記第２の係合面３４ａが前記第１の係合面２４ａの上に乗りあがるときに前記長孔３７内の相対位置が移動して、前記長孔３７の回転方向側の壁面に当接しているので（図５参照）、前記リール部材２０は、前記ロック部材３０の回転がロックされるとほぼ同時に停止される。このように、前記ストラップ１４がブレーキなく巻き込まれた場合は、直ちにロックされ、所望の長さに調節することができる。
【００１４】
引き出されてロックされた前記ストラップ１４を僅かに引き出すと、前記係止爪３３と前記ストッパ１８の係合が解除され、前記コイルバネ３６の付勢力によって前記ロック部材３０が前記リール部材２０の方向に戻される。前記リール部材２０は、前記ゼンマイ１５の付勢力によって前記ストラップ１４を巻き取る方向に回転される。ここで前述同様に前記ストラップ１４にブレーキをかけながらゆっくりと巻き込ませる。このようにゆっくりと前記ストラップ１４の巻き込みが行われるので、前記ストラップ１４が勢いよく巻き込まれ、飛び跳ねたストラップエンドストッパ７５（図９参照）が使用者の手に当たって怪我をさせるようなことがない。
【００１５】
次に本発明によるストラップ巻取り装置の別の実施形態について説明する。図６及び図７に示すように、ストラップ巻取り装置４０は、前ケース４１と後ケース４２からなるケース部材４３にカメラ吊り下げ用のストラップ４４（前記ストラップ１４と同じ）を収容する。前記ストラップ４４はリール部材５０に形成された巻取り部５１に一端が固定され、リール部材２０が前記後ケース４２との間に設けられたゼンマイ（巻取りバネ）４５（前記ゼンマイ１５と同じ）の付勢力によって回転したときに前記巻取り部５１に巻き取られる。前記リール部材５０には、前記ケース部材４３に回転自在に支持された軸部材５２が圧入される。ここで、前記軸部材５２は前記リール部材５０と一体成型によって形成される構成であっても良い。前記リール部材５０には、回転中心軸４６と直交する面５３上の１８０°回転対称位置の２ヶ所に軸５４が立設され、ロック部材５５を支持する。ロック部材５５は、前記前ケース４１の内面に一体に形成されたストッパ４８と係合する係止爪５６が一端側に形成され、他端側が前記軸５４に揺動自在に支持される。前記係止爪近傍にはバネ５８の一端が係止され、前記ストッパ４８と係合しない方向に付勢される。
【００１６】
引き出された前記ストラップ４４を所望の長さになるまで巻き込むときは、前記ストラップ４４にブレーキをかけながらゆっくりと巻き込ませる。前記リール部材５０の回転は遅いため前記ロック部材５５を揺動させるだけの遠心力は発生せず、前記係止爪５６が前記ストッパ４８と係合することなく、前記リール部材５０は回転を続ける。前記ストラップ４４が前記所望の長さまで巻き込まれたときに前記ストラップ４４から手を離す、あるいは前記ブレーキを解除すると、前記リール部材５０は前記ゼンマイ４５の全付勢力が加わって前記ストラップ４４を巻き込む方向に高速回転する。前記リール部材５０が矢印Ｅ（図７参照）の方向に回転すると、前記ロック部材５５は、回転によって前記係止爪５６には前記バネ５８の付勢力に勝る遠心力が発生して外側に揺動する。前記ロック部材５５は、５５ａで示す位置となって前記係止爪５６と前記ストッパ４８とが係合して前記リール部材５０の回転が停止する。前記リール部材５０は前記ゼンマイ４５によって常に付勢力が加えられているため、前記係止爪５６と前記ストッパ４８の係合が維持され、前記ストラップ４４の引き出し長さが調節される。
【００１７】
引き出されてロックされた前記ストラップ４４を僅かに引き出すと、前記バネ５８の付勢力によって前記ロック部材５５が内側に戻され、前記係止爪５６と前記ストッパ４８の係合が解除される。前記リール部材５０は、前記ゼンマイ４５の付勢力によって前記ストラップ４４を巻き取る方向に回転される。ここで前述同様に前記ストラップ４４にブレーキをかけながらゆっくりと巻き込ませる。このようにゆっくりと前記ストラップ４４の巻き込みが行われるので、前記ストラップ４４が勢いよく巻き込まれ、飛び跳ねたストラップエンドストッパ７５（図９参照）が使用者の手に当たって怪我をさせるようなことがない。
【００１８】
前記ロック部材は、前記他端側が前記リール部材の回転中心軸と直交する面に立設された軸に揺動自在に支持されるように構成したが、必ずしも、立設された軸５４によって軸支されなければならない訳ではなく、前記ロック部材がストラップが巻き取られる際の遠心力によって、前記係止爪５６が前記ストッパ４８と係合すれば良く、前記軸５４及びバネ５８の代わりに伸縮するコイルバネや板バネを用いても良い。
【００１９】
図８に示すように、前記ストラップ巻取り装置１０，４０は、前記ストラップ１４，４４の他端がデジタルカメラ６０に固定されるようにして用いられる。前記ストラップ巻取り装置１０，４０には、アクセサリを取り付けたり、衣服に取り付けるための止め金具６５が設けられている。
【００２０】
図９に示すように、本発明によるカメラは、前記ストラップ巻取り装置１０，４０をデジタルカメラ７０内に内蔵させたものである。デジタルカメラ７０は、外装カバー７１によって撮影機構を前後から包むように構成され、撮影レンズ７２の他、右側面にシャッタボタン（図示せず）を、裏面側には画像表示パネル（図示せず）などを備え、本発明によるストラップ巻取り装置１０又は４０を内蔵する。前記ストラップ１４又は４４の一端は前記ストラップ巻取り装置１０又は４０内に固定され、殆どの部分が巻取られる。前記ストラップ１４又は４４の他端には、ナス環や止め輪などのストラップエンドストッパ７５が設けられている。前記外装カバー７１は、前記前ケース１１，４１及び後ケース１２，４２が一体に形成され、前記ストッパ１８，４８は前記外装カバー７１に形成される。あるいは、前記ストッパ１８，４８を前記外装カバー７１と一体成型によって形成しても良い。
【００２１】
前記実施形態では、前記ストッパ１８，４８を巻き取るリール部材２０又は５０の回転にゼンマイ１５を用いたが、どのようなバネでも良く、コイルバネでもつる巻きバネであっても良い。
【００２２】
前記実施形態は、カメラ用のストラップについて説明したが、カメラ用に限るものではなく、携帯電話や携帯用音楽プレイヤなど携帯機器用のストラップに本発明を実施しても良い。
【図面の簡単な説明】
【００２３】
【図１】本発明のストラップ巻取り装置の一部を断面図で表した斜視外観図である。
【図２】図１の断面部分の図である。
【図３】リール部材を前側から見た図である。
【図４】リール部材の回転・停止を説明する模式図である。
【図５】ロック部材を前側から見た図である。
【図６】別の実施形態の断面図である。
【図７】別の実施形態のロック部材の動きを説明する図である。
【図８】ストラップ巻取り装置をデジタルカメラに取り付けた図である。
【図９】ストラップ巻取り装置を備えたデジタルカメラの外観図である。
【符号の説明】
【００２４】
１０，４０  ストラップ巻取り装置
１１，４１  前ケース
１２，４２  後ケース
１３，４３  ケース部材
１４，４４  ストラップ
１５，４５  ゼンマイ（巻取りバネ）
１６，４６  回転中心軸
１８，４８  ストッパ
２０，５０  リール部材
２１，５１  巻取り部
２２，５２  軸部材
２３，５３  回転中心軸と直交する面
２４，３４  凸部
２４ａ  第１の係合面
２４ｂ  第３の係合面
２６  バネ押さえ
２７  軸
３０，５５  ロック部材
３１  第１の面
３２  第２の面
３３，５６  係止爪
３４ａ  第２の係合面
３４ｂ  第４の係合面
３５  溝
３６  コイルバネ
３７  長孔
５８  バネ
６０，７０  デジタルカメラ
７１  外装カバー
７５  ストラップエンドストッパ
【図１】
2010152038.tif 000003
【図２】
2010152038.tif 000004
【図３】
2010152038.tif 000005
【図４】
2010152038.tif 000006
【図５】
2010152038.tif 000007
【図６】
2010152038.tif 000008
【図７】
2010152038.tif 000009
【図８】
2010152038.tif 000010
【図９】
2010152038.tif 000011